(57)【要約】      （修正有）【課題】使用により鈍化した釣り針の先端を、砥ぐ者によることなく、短時間で、所望される程度まで鋭利に砥ぐことを可能とする針砥ぎ治具を提供する。【解決手段】弾性材で形成した台座１に曲面１ａを設け、前記曲面を研磨シート２で覆う。前記研磨シートは、前記曲面の長さよりも短い幅で前記曲面の長手方向と直交する方向の寸法内に納まる長さとされ、複数が前記曲面の長手方向に間隔を開けて配置されるものであってもよい。そして、前記複数の研磨シートの各々は、前記研磨シートの長手方向の縁辺２ａの一つが前記曲面の長手方向と直交する方向に沿って前記曲面に固定され、前記研磨シートの前記曲面に固定された縁辺と対向する縁辺が前記曲面から離れた起立状態となったものであってもよい。釣り針を砥ぐ時は、使用した釣り針３の先端を台座１の曲面１ａに沿って複数の研磨シート２上を擦り摺り動かすことによって、鈍化した先端部を鋭利に仕上げることができる。【選択図】図２
0003179107.tif 000002
【実用新案登録請求の範囲】
【請求項１】
弾性材で形成した台座に曲面を設け、前記曲面を研磨シートで覆ったことを特徴とする針砥ぎ治具。
【請求項２】
前記研磨シートは、前記曲面の長さよりも短い幅で前記曲面の長手方向と直交する方向の寸法の中に納まる長さとされ、複数が前記曲面の長手方向に間隔を開けて配置され、前記複数の研磨シートの各々は、前記研磨シートの長手方向の縁辺の一つが前記曲面の長手方向と直交する方向に沿って前記曲面に固定され、前記研磨シートの前記曲面に固定された縁辺と対向する縁辺が前記曲面から離れて配置される起立状態となっている請求項２に記載の針砥ぎ治具。
【請求項３】
前記複数の研磨シートの各々の前記曲面に指向する面と前記曲面の間に緩衝材が取り付けられている請求項２に記載の針砥ぎ治具。
【請求項４】
前記台座が円柱である請求項１〜３のいずれか一項に記載の針砥ぎ治具。
【請求項５】
前記台座は、前記曲面を形成する板材と前記板材が固定支持される本体とで構成され、前記板材は前記研磨シートと一体に前記本体に対し着脱自在とされている請求項１〜４のいずれか一項に記載の針砥ぎ治具。
【考案の詳細な説明】
【技術分野】
【０００１】
本考案は、釣り針の鈍化した先端を鋭利に砥ぐための針砥ぎ治具に関するものである。
【背景技術】
【０００２】
魚釣りに用いられる針は、使用によって先端が鈍化すると魚を捕える機能が低下する。そのため、釣り針は定期的な交換を必要とするが、その交換には手間や時間がかかり、釣りを行うための時間の浪費となり、更に、使用済みとなった針が放置されれば、環境の破壊にもつながるという問題があった。また、手作りの擬似針などのように希少価値を有する針は、消耗品ではなく、丁寧な砥ぎ作業によって保全し、略恒久的に使用するものであり、針形状を壊すことなく砥ぎ作業を行える必要がある。そこで、本考案者の一人は、先端が鈍化した釣り針の再利用を可能とする手法として、特開２００９−２０７４７２号公報に開示されている針砥ぎ治具を提案している。
【０００３】
上記針砥ぎ治具は、釣りの目的魚、針形状、寸法によって異なるが、テープ素材の表面に平均粒径が０．５μｍ以上４０μｍ以下（４００番以上１００００番以下）の範囲の砥粒が形成されてなる研磨テープと、その研磨テープを接着または縫い付けにより固定する台座を有するものとなっている。そして、釣り具や釣り用の衣服に取り付け可能とされているため、針先が鈍化した釣り針の先端部を釣りの最中でも簡単に砥ぐことができ、使用した針を交換することなく、再利用が可能な状態にできる。
【先行技術文献】
【特許文献】
【０００４】
【特許文献１】特開２００９‐２０７４７２号公報
【考案の概要】
【考案が解決しようとする課題】
【０００５】
上記針砥ぎ治具では、研磨テープのテープ素材の反発力や習い変形により砥ぎ作業において針の基本形状を崩すことなく先端部を鋭利に仕上げるものとしているが、これに加えて、研磨テープを固定する台座によっても反発力や習い変形を調節するものとなっている。すなわち、テープ素材と台座の適切な組み合わせにより、針の基本形状を崩すことなく先端部を鋭利に仕上げることを可能としている。
【０００６】
しかしながら、単に、テープ素材と台座を組み合わせて使用するのみでは、砥ぎ作業において、手で調節しながら砥ぎ角度を調整する必要があり、砥ぐ者によって、先端部の仕上がり具合や仕上げに要する時間に個人差が生じるという問題があった。  
【０００７】
そこで、本考案は、砥ぎ角度の調整を不要として、使用により鈍化した釣り針の先端を、砥ぐ者によることなく、短時間で、所望される程度まで鋭利に砥ぐことを可能とする針砥ぎ治具を提供することを目的とする。
【課題を解決するための手段】
【０００８】
本考案に係る針砥ぎ治具では、弾性材で形成した台座に曲面を設け、前記曲面を研磨シートで覆う。
【０００９】
前記研磨シートは、前記曲面の長さよりも短い幅で前記曲面の長手方向と直交する方向の寸法内に納まる長さとされ、複数が前記曲面の長手方向に間隔を開けて配置されるものであってもよい。そして、前記複数の研磨シートの各々は、前記研磨シートの長手方向の縁辺の一つが前記曲面の長手方向と直交する方向に沿って前記曲面に固定され、前記研磨シートの前記曲面に固定された縁辺と対向する縁辺が前記曲面から離れた起立状態となったものであってもよい。
【００１０】
また、前記複数の研磨シートの各々の前記曲面に指向する面と前記曲面の間に緩衝材が取り付けられているものであってもよい。
【００１１】
前記台座は、円柱であってもよい。
【００１２】
前記台座は、前記曲面を形成する板材と前記板材が固定支持される本体とで構成され、前記板材は前記研磨シートと一体に前記本体に対し着脱自在とされていてもよい。
【考案の効果】
【００１３】
本考案に係る針砥ぎ治具によれば、使用した釣り針の先端を台座の曲面に沿って、その曲面を覆う研磨シート上を擦り摺り動かすことによって、鈍化した先端部を鋭利に仕上げることができる。このとき、釣り針の先端は直線的に動かされると台座から離れてしまうため、砥ぎ作業を行う者には、先端を曲面に沿って動かす意識が働くことになる。その結果、釣り針の先端と研磨シートの接触角度は概ね一定に保たれ、砥ぐ者によることなく、効率よく、一定水準以上の仕上がり状態を得ることができる。すなわち、短時間で、所望される程度まで鋭利に砥ぐことが可能となる。更に、砥ぎ作業が直線的な平面で行われた場合には針形状が崩れる不具合があったところ、そのような不具合が生じるおそれがない。なお、針側面を砥ぐ必要のある場合は、円周曲面と直交方向へ直線状に移動させることで両側面を砥ぐことができる。
【００１４】
また、研磨シートが、曲面の長さよりも短い幅で曲面の長手方向と直交する方向の寸法内に納まる長さとされ、複数が曲面の長手方向に間隔を開けて配置されるものとすれば、釣り針の先端は、台座の曲面に沿って動かす経路上で、複数の研磨シートに順番に接触していくことになる。そして、この場合、一回の砥ぎ動作で複数回磨ぐことと同じ効果が得られるため、連続した同じ研磨シート上を移動させる場合と比較し研磨回数が低減し、所望される程度に砥ぐために要する時間を更に短縮できる。また、砥ぎ上がり直前での最終研磨シートへの針の当たりは、台座から完全に離れ、研磨シートの柔軟な面のみによって砥ぎすまされることとなり、より、鋭利に仕上げることができる。
【００１５】
なお、複数の研磨シートの各々は、テープ素材の有する剛性により、曲面に固定された縁辺と対向する縁辺（自由辺）が曲面から離れて配置される起立状態となるが、研磨シートが曲面に固定された点における接面に対する傾斜角度は、テープ素材のカール（曲がり）癖により各々のシートで異なるものとなり１０度から１５度程度となる。しかしながら、研磨シートの自由辺と曲面の距離が離れる程、すなわち、傾斜角度が大きければ釣り針の先端に対する反発力が大きくなり、針先を研ぐ効率を高めることができる。ただし、４５度以上の場合、砥角度が浅くなりすぎ、針先端の鋭さが鈍るため好ましくない。この傾斜角度は、研磨シートの各々の曲面に指向する面と前記曲面の間に緩衝材を取り付けることで研磨シートの持つ反発力や習い変形を損なうことなく、調整することができる。
【００１６】
曲面の曲率半径は１０〜1５０ｍｍとすることが好ましいが、台座を円柱とする場合の曲率半径は携行の便宜上１０〜３０ｍｍとすることがより好ましい。なお、曲率半径が小さくなると１回の砥ぎ動作において研磨に有効な経路長が短くなるため、砥ぎ回数は増えることになるが、台座を平面とした場合よりは、その回数は少なくなる。一方、曲面の曲率半径は、大きくすることにより、１回の砥ぎ動作において研磨に有効な経路長を長くできるという利点はあるが、大きすぎると平面に近づき研磨精度の低下を招くため、１５０ｍｍ以下とすることが好ましい。
【００１７】
台座は、曲面を形成する板材と板材が固定支持される本体とで構成し、更に、板材は研磨シートと一体に本体に対し着脱自在とすることが好ましく、この場合、使用によって研磨機能が低下した研磨シートを容易に交換することができる。そのため、砥ぎ作業を行っている途中で研磨シートの研磨機能が低下したときにも、作業効率の大幅な低下が防止され、結果的に短時間で砥ぎ作業を行うことが可能となる。
【図面の簡単な説明】
【００１８】
【図１】本考案に係る針砥ぎ治具の実施形態を示す斜視図である。
【図２】釣り針の先端が砥がれている状態を示す斜視図である。
【図３】研磨シートの傾斜角度を示し、（ａ）は緩衝材を取り付けない状態を示す側面図、（ｂ）は緩衝材を取り付けた状態の側面図である。
【図４】本考案に係る針砥ぎ治具の他の実施形態を示す斜視図である。
【図５】本考案に係る針砥ぎ治具の更に他の実施形態を示す斜視図である。
【考案を実施するための形態】
【００１９】
図１〜３を参照しながら、本考案に係る針砥ぎ治具の実施形態を説明する。
図１に示す針砥ぎ治具は、五角柱の隣接する二面を一連の曲面１ａとした形状の台座１と、台座１の曲面１ａに貼り付け固定された複数の研磨シート２とで構成されている。
【００２０】
台座１を構成する素材としてエポキシ樹脂が採用されているが、砥ぎ作業において針の基本形状を崩すことなく維持できる程度の反発力を有し習い変形するものすなわち、局部圧によって変形するとともに回復するものであれば制限はない。ポリウレタンやその他の合成樹脂、スポンジゴム、或いは、木材、発砲スチロールなどエポキシ樹脂より軽い素材を採用してもよい。
【００２１】
台座１の曲面１ａを上側とし、曲面１ａの長手方向を長さとしたとき、長さＬは７３ｍｍ、幅Ｗは２７ｍｍ、高さＨは１５ｍｍとされているが、釣りを行うときに携行できる大きさであれば制限はなく、適宜調整すればよい。
【００２２】
曲面１ａは曲率半径が１３０ｍｍとされているが、砥ぎ作業を行う者に先端を曲面に沿って動かす意識が働く程度であれば適宜調整することができる。
【００２３】
研磨シート２には、厚み７５μｍのＰＥＴ（ポリエチレンテレフタレート）製テープ素材に６０００番の砥粒を塗布した幅１５ｍｍのテープ材ＷＡ６０００（製品名、日本ミクロコーティング株式会社製）を２７ｍｍの長さに切ったものが採用されている。ただし、テープ素材の材質や砥粒に制限はなく、砥ぐ対象となる釣り針の性質を考慮し、適宜選択することができる。例えば、鮎釣り針を研ぐためのものであれば４０００〜６０００番が、擬餌針（いわゆるフライ）であれば荒砥として４００〜１０００番、仕上げとして３０００〜６０００番が好ましい。
【００２４】
また、研磨シート２は、長手方向の一方の縁辺２ａが、台座１の幅Ｗ方向（曲面１aの長手方向と直交する方向）に沿って、曲面１ａに公知の樹脂接着剤で固定されている。一方、長手方向の曲面１ａに固定された縁辺と対向する縁辺は、曲面１ａに固定されずに自由な状態となっている。そして、研磨シート２は、曲面１ａに固定された部位における接面を呈する状態、すなわち、曲面１ａに固定されていない縁辺が曲面から離れて配置される起立状態となっている。
【００２５】
この針砥ぎ治具によれば、図２に示すように、使用した釣り針３の先端を台座１の曲面１ａに沿って複数の研磨シート２上を擦り摺り動かすことによって、鈍化した先端部を鋭利に仕上げることができる。このとき、釣り針３の先端は、図２の想像矢線で示すように直線的に動かされると台座１から離れてしまう。そこで、砥ぎ作業を行う者には、図２の実矢線で示すように先端を曲面１ａに沿って動かす意識が働くことになる。その結果、釣り針３の先端と研磨シート２の接触角度は概ね一定に保たれ、砥ぐ者によることなく、効率よく、一定水準以上の仕上がり状態を得ることができる。
【００２６】
また、釣り針３の先端を、台座１の曲面１ａに沿って動かすと、釣り針３の先端と接触する研磨シート２（先の研磨シート２）は、釣り針３の先端と接触している間は台座１に押し当てられることになるが、釣り針３の先端が隣接する別の研磨シート２（次の研磨シート２）と接触した状態になると、弾発力により元の状態へ、すなわち、台座１へ固定されていない縁辺が曲面１ａから離れた起立状態となる。そして、次の研磨シート２も同様の動作をし、釣り針３の先端は、台座１の曲面１ａに沿って動かす経路上で、複数の研磨シート２に順番に接触していくことになる。そして、一回の砥ぎ動作で複数回磨ぐことと同じ効果が得られるため、連続した同じ研磨シート上を移動させる場合と比較し研磨回数が低減し、所望される程度に砥ぐために要する時間を更に短縮できる。
【００２７】
研磨シート２の、曲面１ａに固定された縁辺２ａと対向する縁辺と、曲面１ａの距離が離れる程、すなわち、研磨シート２が曲面１ａに固定された点における接面に対する傾斜角度が大きくなる程、釣り針３の先端に対する反発力が大きくなり、針先を研ぐ効率を高めることができる。この傾斜角度は、使用される状況に応じて適宜設定することができるが、４０〜６０度とすることが好ましい。
【００２８】
研磨シート２の傾斜角度を調整する手法に制限は無いが、発砲スチロールなどの弾性材で形成した緩衝材を利用して、研磨シートの持つ反発力や習い変形を損なうことなく、簡単に調整することができる。図３（ｂ）に、緩衝材を利用して傾斜角度を調整した研磨シートを示す。幅１０ｍｍ、長さ２７ｍｍ、厚さ１ｍｍのポリウレタン発砲スチロール製板材を緩衝材４として、各々の研磨シート２の、曲面１ａに指向する面と曲面２ａの間に配置されるよう、曲面１ａにおける研磨シート２の下側位置から隣接する研磨シート２の固定された縁辺２ａの上面に亘って貼付した。この場合、研磨シート２が曲面１ａに固定された点Ｐにおける接面Ｔに対する傾斜角度θを１５〜４５度の範囲とすることができた。なお、緩衝材４を取り付けない研磨シート２の傾斜角度θは、理論的には図３（ａ）に示すように０度となるが、この角度はテープ素材のカール癖により各々のシートで異なるものとなり、実際には１０度から１５度程度となる。
【００２９】
台座１の形状は曲面１ａを有するものであれば制限はない。図４に、円柱の台座１０を採用した他の実施形態を示す。また、研磨シートも、複数を用いることなく、図４に示すように、連続した一枚の研磨シート２０で曲面を覆うこととしてもよい。なお、台座１０には軸線と重なる位置に貫通孔１１が設けられ、先端に抜け止め部材１２が取り付けられた紐１３が挿通されている。そして、紐１３を使用して、容易に携行できるものとされている。
【００３０】
更に、台座として、板材とその板材を固定支持する本体とで構成したものを採用した他の実施形態を図５に示す。なお、図５において、上記実施例と実質的に同じ部分には同じ符号を付し、その説明は簡略化または省略するものとする。
【００３１】
図５に示す針砥ぎ治具の台座３０は、曲面１ａを形成する板材３１と、この板材３１が固定支持される本体３２とで構成される。板材３１は、プラスチック板で形成され、長方形の短い縁辺の各々の近傍において２か所で折り曲げられた形状をなし、両短辺が本体３２に対する係合爪３３、３４として機能するものとなっている。
【００３２】
本体３０は、上記台座１とほぼ同じ大きさの形状とされ、五角柱の隣接する二面を一連の曲面とした形状をなしている。ただし、上記台座１と異なり、曲面の短い縁辺の一方は、曲面の反対側に位置する面（以下、底面とする）の短い縁辺をなし、交差した形状となっている。以下、この曲面と底面が交差している側を背面という。
【００３３】
本体３０の底面には携行用の紐を取り付けるための携行用紐取り付け部３５が形成されるとともに、前記板材３１の係合爪の一方である第一の係合爪３３と係合するための第一の係合溝３６が設けられている。携行用紐取り付け部３５は板状をなし、図示しない携行用の紐を挿通するための貫通孔３７が形成されている。更に、本体３０の背面の反対側に位置する面（以下、正面という）には、板材３１において第一の係合爪３３と対峙する第二の係合爪３４と係合するための第二の係合溝３８が設けられている。更にまた、本体３０において正面からみて左右に位置する面には、把持用凹部３９が形成されている。
【００３４】
上記構成の台座３０によれば、研磨シート２の研磨機能が使用によって低下した場合は、板材３１の着脱操作により研磨シート２を極めて簡単に交換することができる。板材３１を本体３２から取り外すには、まず、第二の係合爪３４を外してから、次に、第一の係合爪３３を外せばよい。板材３１は素材の持つ弾発力を利用して本体３２に密着固定されているが、第二の係合爪３４は本体３２の正面から離れる方向に力を加え板材３１を少し伸ばすことで外すことができる。第一の係合爪３３は、係合相手となる第一の係合溝３６が本体３２の底面に対し背面側に傾斜しているため、板材３１が本体３２に取り付けられた状態においては、板材３１の弾発力で第一の係合溝３６の内面に圧着されている。そのため、第一の係合爪３３から外すことは難しく、第二の係合爪３４から外す必要がある。  板材３１を取り外したら、新しい研磨シート２が貼り付けされている別の板材３１を、取り外しと逆の順番で行う。すなわち、第一の係合爪３３を第一の係合溝３６にまず嵌め込み、続いて、第二の係合爪３４の設けられた部位を引っ張りながら、第二の係合爪３４を第二の係合溝３８に嵌め込めばよい。
【００３５】
第一の係合溝３６の、本体３２の底面に対する背面側への傾斜角度は、板材３１の着脱作業と取り付けられた板材３１の本体３２への安定性（ぐらつきが無いなど）を考慮し、４０〜６０度としておくことが好ましい。
【００３６】
携行は紐を使用する方法に限定されず、その他の方法を適宜採用することができる。例えば、携行用紐取り付け部３５を設けることに替えて、底面に面ファスナを貼り付け、被服側に縫い付けた同形状の面ファスナ用の台座に着脱可能としてもよい。ただし、この場合においても、針砥ぎ治具が手元を離れて落下し、水流に流されることが無いよう、携行用の紐による流出防止を併用することが望ましい。
【００３７】
この針砥ぎ治具を使用し、針を研ぎながら鮎釣りを試みたところ、従来の方法では1日に数本の針を消耗していたのに対し、1本で２０ｃｍ程度の良型の鮎を３０匹前後釣り上げることができた。また、錆を防止し、翌日に持ち越すことができた。ただし、ハリス糸が細すぎ、変形、カールを生じると鮎の針掛りが低下するため、変形・カールの少ないハリス糸を用いることが好ましいことが確認できた。
【符号の説明】
【００３８】
１、１０、３０  台座
１ａ  曲面
２、２０    研磨シート
２ａ  一方の縁辺
３    釣り針
４    緩衝材
１１、３７  貫通孔
１２  抜け止め部材
１３  紐
３１  板材
３２  本体
３３  第一の係合爪
３４  第二の係合爪
３５  携行用紐取り付け部
３６  第一の係合溝
３８  第二の係合溝
３９  把持用凹部
【図１】
0003179107.tif 000003
【図２】
0003179107.tif 000004
【図３】
0003179107.tif 000005
【図４】
0003179107.tif 000006
【図５】
0003179107.tif 000007
【手続補正書】
【提出日】平成24年8月9日(2012.8.9)
【手続補正１】
【補正対象書類名】実用新案登録請求の範囲
【補正対象項目名】請求項２
【補正方法】変更
【補正の内容】
【請求項２】
前記研磨シートは、前記曲面の長さよりも短い幅で前記曲面の長手方向と直交する方向の寸法の中に納まる長さとされ、複数が前記曲面の長手方向に間隔を開けて配置され、前記複数の研磨シートの各々は、前記研磨シートの長手方向の縁辺の一つが前記曲面の長手方向と直交する方向に沿って前記曲面に固定され、前記研磨シートの前記曲面に固定された縁辺と対向する縁辺が前記曲面から離れて配置される起立状態となっている請求項１に記載の針砥ぎ治具。